(57)【要約】    【課題】  走査型プローブ顕微鏡あるいはカーボンナノチューブピンセットなどのハンドリング機器のプローブ先端部に付着されているカーボンナノチューブをプローブに強く付着させる補強方法および補強装置を提供する。    【解決手段】  走査型プローブ顕微鏡あるいはハンドリング機器のプローブ先端部とカーボンナノチューブとの付着部である接合部を誘電体である液体部に浸し、該接合部と液体部間に外部電源装置によって電位差を付与させて接合部周囲に液体の一部を固化させて補強部を形成し、以って接合部を強化する。【選択図】  図２
2005062007.tif 000002
【特許請求の範囲】
【請求項１】
走査型プローブ顕微鏡あるいはハンドリング機器のプローブ先端部などの基材とカーボンナノチューブとの付着部である接合部を誘電体である液体部に浸し、取出し、該接合部と液体部間に外部電源装置によって電位差を付与させて有機溶剤の一部を接合部周囲に固化させることを特徴とするカーボンナノチューブの付着部の強化方法。
【請求項２】
請求項１において、液体として、有機溶剤を使用することを特徴とするカーボンナノチューブの付着部の強化方法。
【請求項３】
請求項２において、前記有機溶剤の中に、無機元素を溶解し、強固な混合材料を形成することを特徴とするカーボンナノチューブの付着方法。
【請求項４】
請求項１から３のいずれかにおいて、前記接合部の強化を行った後に、該接合部を熱処理または化学溶液に浸すことによる化学反応処理、電子線照射処理、イオンビーム照射処理もしくはプラズマ印加処理により接合部を更に強化することを特徴とするカーボンナノチューブの付着部の強化方法。
【請求項５】
請求項１から３のいずれかにおいて、前記基材とカーボンナノチューブとの接合部を高さ方向で液体部の液面に対して、液体部と前記基材との間に電位差を与えながら相対上下動操作を行い、外部電源装置によって電位差を付与することによって固化した反応物を前記接合部周囲に堆積させていくことを特徴とするカーボンナノチューブの付着部の強化方法。
【請求項６】
基材とカーボンナノチューブとの接合部を浸す誘電体である液体部を有し、該接合部と液体部との間に外部電源装置によって電位差を付与し、前記接合部と液体部の液面との相対位置を変える操作装置を有することを特徴とするカーボンナノチューブの付着部の強化装置。
【請求項７】
基材とカーボンナノチューブとの接合部周囲に誘電体が堆積、固化することによって補強部が形成されたことを特徴とするカーボンナノチューブの付着部の強化構造。
【発明の詳細な説明】
【技術分野】
【０００１】
本発明は、カーボンナノチューブの付着部の強化方法および強化装置に関する。
【背景技術】
【０００２】
従来、プローブ顕微鏡先端にカーボンナノチューブを付着させる際、バルク状態のカーボンナノチューブを電子顕微鏡で観察しながら付着させ、その後、引き抜くことによりカーボンナノチューブ付きプローブが製作されている。この際、プローブとカーボンナノチューブの接続は電子線照射により堆積するコンタミにより付着すると言われている。
【発明の開示】
【発明が解決しようとする課題】
【０００３】
本発明は、走査型プローブ顕微鏡あるいはカーボンナノチューブピンセットなどのハンドリング機器のプローブ先端部に付着されているカーボンナノチューブをプローブに強く付着させる補強方法および補強装置を提供することを目的とする。
【課題を解決するための手段】
【０００４】
本発明は、走査型プローブ顕微鏡あるいはハンドリング機器のプローブ先端部などの基材に付着されたカーボンナノチューブの接合部を補強するために、接合部を液体に浸し、接合部と液体間に電位差を付与することにより、接合部周囲に液体の一部を固化させる。
【発明の効果】
【０００５】
走査型プローブ顕微鏡あるいはハンドリング機器のプローブとカーボンナノチューブとの接合部を、誘電流体が電位差による固化堆積したもので補強することができる。このため、電位差や時間のコントロールにより、反応進行過程を制御することによって、任意の大きさ、強度に補強調整できる。
【発明を実施するための最良の形態】
【０００６】
走査型プローブ顕微鏡あるいはハンドリング機器のプローブ先端部などの基材とカーボンナノチューブとの付着部である接合部を誘電体である液体部に浸し、取出し、該接合部と液体部間に外部電源装置によって電位差を付与させて有機溶剤の一部を接合部周囲に固化させるカーボンナノチューブの付着部の強化方法および強化装置並びに強化構造が最良の形態として構成される。
【実施例１】
【０００７】
以下、本発明の実施例を図面に基づいて説明する。
図１は、カーボンナノチューブ１が、走査型プローブ顕微鏡のプローブ２の先端部３に付着した状態を示す。４が付着部、すなわち接合部である。
このように、カーボンナノチューブ１のプローブ２への付着をより強靭にするための方法を図２に示す。図２において、走査型プローブ顕微鏡のプローブ２は外部電源装置８に接続され、一方の電極とされる。液体５と外部電源装置８とは接続され、該液体５は他方の電極となる。プローブ２は走査装置（図示せず）によってプローブ上下動７される。プローブ２を固定して液体５を上下動操作してもよい。すなわち、プローブ２と液体５とは上下方向において相対運動がなされるよう構成されている。外部電源装置は電磁場印加装置によって電位差および電磁場を付与するようにするものであってもよい。
【０００８】
液体５は誘電性の液体、すなわち有機溶剤が使用され、ここでは誘電体といい、液体５を収納する容器も含めて液体部という。従って、誘電体は、補強用液体として作用する。有機溶剤の一部はＣ、Ｈ、Ｏの化合物となって接合部周囲において固化する。
有機溶剤の中に、無機分子または無機溶液を混ぜた複合材料を含むようにしてより強固な接合を行うことができる。
【０００９】
図２において、プローブ２の先端部とカーボンナノチューブ１との接合部４を、高さ方向で液体５の液面６に一致させて設定する。この状態で、外部電源装置８によって前述の両電極間に電位差を与える。電位差を与えながら上下動させることにより接合部４周囲に堆積を制御する。この作用によって一部の誘電体は反応を起こして固化し、接合部４上に堆積する。この堆積によって接合部４は、強靭に補強されることになる。
【００１０】
以上のような実施例によって、走査型プローブ顕微鏡あるいはハンドリング機器のプローブ先端部とカーボンナノチューブとの付着部である接合部を誘電体である液体部に浸し、該接合部と液体部間に外部電源装置によって電位差を付与し、接合部周囲に有機溶剤の一部を固化させ、以って接合部を強化するカーボンナノチューブの付着部の強化方法および強化装置が構成される。
【００１１】
この後、熱処理や別の化学溶液に浸して化学反応処理を行うことによって接合部４を強靭に補強することも可能である。あるいは、電子線照射処理、イオンビーム照射処理もしくはプラズマ印加処理によっても接合部４を強靭に補強することができる。熱処理によって、カーボンナノチューブ２に含有されている有機溶剤を飛ばすことができる。
【００１２】
図３は、プローブ２とカーボンナノチューブ１の接合部が電気力によって補強されることを示すために実験によって確認した写真（ＳＥＭ像）である。図３に示すように、接合部４の周囲に補強部１０が形成された構造となっている。従って、走査型プローブ顕微鏡のプローブ先端部にカーボンナノチューブが付着した結合構造において、固着した誘電体によって補強部を形成した結合構造が提供される。電位差や時間のコントロールにより、反応進行過程を制御することによって任意の大きさ、強度に補強調整できる。
【図面の簡単な説明】
【００１３】
【図１】カーボンナノチューブ付きプローブを示す図。
【図２】図１の構成部を誘電体の液面に対向させると共に、両者の間に電位差を与える概念図。
【図３】プローブとカーボンナノチューブの接合部が補強された様子を示す図。
【符号の説明】
【００１４】
１…カーボンナノチューブ、２…プローブ、４…接合部（付着部）、５…液体（補強用液体、誘電体）６…液面、７…プローブの上下動、８…外部電源装置、１０…補強部。
【図１】
2005062007.tif 000003
【図２】
2005062007.tif 000004
【図３】
2005062007.tif 000005